(57)【特許請求の範囲】
【請求項１】
互いに組付けられて電子機器を収容する筐体本体および蓋体と、運搬用の取手とを備えて成るとともに、前記筐体本体を外方に向けた姿勢で電柱に取付けられる電子機器筐体であって、
前記筐体本体に、該筐体本体を作業台から離隔させるとともに前記作業台上に所定の姿勢で支持するとともに、前記電柱に取付けられた状態において前記筐体本体よりも外方に突出してガードとして機能する取手を設けたことを特徴とする電子機器筐体。
【請求項２】
互いに組付けられて電子機器を収容する筐体本体および蓋体と、運搬用の取手とを備えて成るとともに、前記蓋体を外方に向けた姿勢で電柱に取付けられる電子機器筐体であって、
前記蓋体に、該蓋体を作業台から離隔させるとともに前記作業台上に所定の姿勢で支持するとともに、前記電柱に取付けられた状態において前記蓋体よりも外方に突出してガードとして機能する取手を設けたことを特徴とする電子機器筐体。
【発明の詳細な説明】
【０００１】
【発明の属する技術分野】
本発明は、電子機器を収容する筐体本体および蓋体を備え、かつ運搬用の取手を備えて成る電子機器筐体に関し、詳しくは運搬用の取手の構造に関するものである。
【０００２】
【従来の技術】
例えば小型基地局用増幅装置等、屋外に設置されることの多い電子機器は、屋外の風雨から保護すること等を目的として、筐体本体と蓋体とを互いに組付けて成る電子機器筐体に収容されている。
【０００３】
また、小型基地局用増幅装置等の電子機器を収容する電子機器筐体には、運搬時において使用されるとともに、屋外での設置作業時においても使用される取手が設けられている。
【０００４】
【発明が解決しようとする課題】
ところで、上述した電子機器の組立時や調整時において、電子機器筐体の筐体本体や蓋体を、作業台に保護シート等を敷くことなく直接に載置した場合、筐体本体や蓋体の表面における塗装面を傷付けてしまう不都合があった。
【０００５】
このように、電子機器筐体の外面が損傷することは、製造メーカーにおいては製品品質の低下に繋がる問題となり、使用ユーザーにおいては腐食の発生等を招くことが問題となる。
【０００６】
また、筐体本体や蓋体の表面に様々な突起が形成されていたり、筐体本体や蓋体の表面が外方に張り出した曲面である場合には、筐体本体や蓋体を作業台に載置した際に姿勢が安定せず、組立時や調整時における作業性の著しい低下を招いてしまう問題があった。
【０００７】
本発明は上記実状に鑑み、電子機器の組立時や調整時において、外面の損傷を未然に防止することができ、併せて良好な作業性を得ることの可能な電子機器筐体の提供を目的とするものである。
【０００８】
【課題を解決するための手段】
上記目的を達成するべく、請求項１の発明に関わる電子機器筐体は、互いに組付けられて電子機器を収容する筐体本体および蓋体と、運搬用の取手とを備えて成るとともに、前記筐体本体を外方に向けた姿勢で電柱に取付けられる電子機器筐体において、前記筐体本体に、該筐体本体を作業台から離隔させるとともに前記作業台上に所定の姿勢で支持するとともに、前記電柱に取付けられた状態において前記筐体本体よりも外方に突出してガードとして機能する取手を設けている。
【０００９】
また、請求項２の発明に関わる電子機器筐体は、互いに組付けられて電子機器を収容する筐体本体および蓋体と、運搬用の取手とを備えて成るとともに、前記蓋体を外方に向けた姿勢で電柱に取付けられる電子機器筐体において、前記蓋体に、該蓋体を作業台から離隔させるとともに前記作業台上に所定の姿勢で支持するとともに、前記電柱に取付けられた状態において前記蓋体よりも外方に突出してガードとして機能する取手を設けている。
【００１０】
【発明の実施の形態】
以下、本発明の実施例を、図面を参照しながら詳細に説明する。
図１および図２は、小型基地局用増幅装置(電子機器)を収容する電子機器筐体に本発明を適用した例を示しており、図１に示す如く請求項１の発明に関わる電子機器筐体１は、筐体本体２と該筐体本体２に組付けられる蓋体３とを具備している。
【００１１】
筐体本体２は、図中上方の開口２ｏのみが解放された四角い箱形状を呈し、内部には小型基地局用増幅装置(図示せず)が収容されている。
また、筐体本体２の外縁部には、複数個の側部フランジ２ｓと、複数個の端部フランジ２ｅとが形成されている。
【００１２】
一方、蓋体３の外縁部には、筐体本体２の側部フランジ２ｓおよび端部フランジ２ｅに対応する、複数個の側部フランジ３ｓと、複数個の端部フランジ３ｅとが形成されている。
【００１３】
ここで、上述した側部フランジ２ｓと側部フランジ３ｓ、および端部フランジ２ｅと端部フランジ３ｅとを、図示していない固定ネジを用いて結合することにより、筐体本体２と蓋体３とが互いに組み付けられ、もって小型基地局用増幅装置(図示せず)が電子機器筐体１の内部に収容されることとなる。
【００１４】
図１および図２に示す如く、筐体本体２における左右の側部には、それぞれ取手４，４が取り付けられており、これら一対の取手４，４は、筐体本体２を挟んで対象を為す形状を呈している。
【００１５】
各々の取手４は、底部の扁平な略Ｕ字状の側面形を呈しており、水平方向に延びる把持部４ａと、該把持部４ａの各端部から立ち上がった一対の支持部４ｂ，４ｂとを有している。
【００１６】
また、各々の取手４は、一対の支持部４ｂ，４ｂを、側部フランジ２ｓ，２ｓに、止めネジ(図示せず)を用いて結合することにより、筐体本体２に固定設置されている。
【００１７】
さらに、各々の取手４は、筐体本体２に固定設置された状態において、図２に示す如く、筐体本体２の正面(図中においては底面)２ａから、図中下方へ向けて突出している。
【００１８】
上述した構成の電子機器筐体１において、図示していない小型基地局用増幅装置の組立や調整を行なう場合には、蓋体３を取り外した筐体本体２を、その開口２ｏを上方に向けて作業台１００に載置する。
【００１９】
このとき、図２から明らかな如く、筐体本体２の左右に設けられた一対の取手４，４が、ともに筐体本体２の正面２ａよりも下方へ突出しているため、これら一対の取手４，４が作業台１００の載置面１００ａに当接することにより、筐体本体２は載置面１００ａから離隔した状態で作業台１００に載置される。
【００２０】
このように、機器筐体２が作業台１００から離隔した状態で支持されることにより、筐体本体２の表面が不用意に損傷することがなく、もって製造メーカーにおいては製品品質の低下を未然に防止でき、また使用ユーザーにおいては腐食の発生等を防止することが可能となる。
【００２１】
また、一対の取手４，４が互いに対象形状を為しているとともに、一対の取手４，４の把持部４ａ，４ａが共に水平方向に延在していることにより、筐体本体２を作業台１００に載置した際、上記筐体本体２は開口２ｏを上方に向けた所定の姿勢で作業台１００上に載置されることとなる。
【００２２】
このように、筐体本体２における形状の如何んに関わらず、作業台１００上に筐体本体２が所定の姿勢で支持されることにより、製造メーカーにおける製造時や、使用ユーザーにおける点検時の作業性が大幅に向上することとなる。
【００２３】
なお、筐体本体２の１つの側面に一対の取手を取付け、これら一対の取手を載置台１００に当接させることにより、開口２ｏを上方ではなく側方に向けた姿勢で、筐体本体２を載置台１００に載置させるよう構成することも可能であり、このような構成によっても、筐体本体２に収容された小型基地局用増幅装置の組立時や調整時に、表面の損傷防止と作業性の向上とを達成することができる。
【００２４】
また、上述した小型基地局用増幅装置を収容する電子機器筐体１は、上記装置を電柱に取り付ける場合、蓋体３を電柱に向けるとともに筐体本体２を外方に向けた姿勢で取り付けられる。
【００２５】
このため、電子機器筐体１を電柱に取付けた状態では、一対の取手４，４が筐体本体２の正面２ａよりも前方に突出し、これら一対の取手４，４がガードとして作用することとなり、もって電子機器筐体１における表面の損傷を可及的に防止することができる。
【００２６】
図３および図４は、小型基地局用増幅装置(電子機器)を収容する電子機器筐体に本発明を適用した他の実施例を示している。
【００２７】
図３に示す如く、請求項２の発明に関わる電子機器筐体１０は、筐体本体１２と該筐体本体１２に組付けられる蓋体１３とを具備しており、この蓋体１３は蝶番１０Ｊ，１０Ｊを介して、図４(ａ)，(ｂ)に示す如く筐体本体１２に開閉自在に連結されている。
【００２８】
筐体本体１２は、図中上方の開口１２ｏのみが解放された四角い箱形状を呈しており、内部には小型基地局用増幅装置(図示せず)が収容されている。
また、筐体本体１２の外縁部には、複数個の側部フランジ１２ｓと、複数個の端部フランジ１２ｅとが形成されている。
【００２９】
一方、蓋体１３は、図中上方の開口１３ｏのみが解放された四角い箱形状を呈しており、内部には筐体本体１２と同じく小型基地局用増幅装置(図示せず)が収容されている。
また、蓋体１３の外縁部には、筐体本体１２の側部フランジ１２ｓと端部フランジ１２ｅとに対応する、複数個の側部フランジ１３ｓと、複数個の端部フランジ１３ｅとが形成されている。
【００３０】
ここで、上述した側部フランジ１２ｓと側部フランジ１３ｓ、および端部フランジ１２ｅと端部フランジ１３ｅとを、図示していない固定ネジを用いて結合することにより、筐体本体２と蓋体３とが互いに組み付けられ、もって小型基地局用増幅装置(図示せず)が電子機器筐体１０の内部に収容されることなる。
【００３１】
図３および図４に示す如く、蓋体１２における左右の側部には、それぞれ取手１４，１４が取り付けられており、これら一対の取手１４，１４は、蓋体１２を挟んで対象を為す形状を呈している。
【００３２】
各々の取手１４は、底部の扁平な略Ｕ字状の側面形を呈しており、水平方向に延びる把持部１４ａと、該把持部１４ａの各端部から立ち上がった一対の支持部１４ｂ，１４ｂとを有している。
【００３３】
また、各々の取手１４は、一対の支持部１４ｂ，１４ｂを、側部フランジ１３ｓ，１３ｓに、止めネジ(図示せず)を用いて結合することにより、蓋体１３に固定設置されている。
【００３４】
さらに、各々の取手１４は、蓋体１３に固定設置された状態において、図４に示す如く、蓋体１３の正面１３ａから大きく突出する態様に形成されており、具体的には図４(ｂ)に示す如く、電子機器筐体１０を作業台１００に載置して蓋体１３を開成した状態において、作業台１００に当接して蓋体１３を水平に占位させる態様に形成されている。
【００３５】
上述した構成の電子機器筐体１において、図示していない小型基地局用増幅装置の組立や調整を行なう場合には、筐体本体１２と蓋体１３との結合を解き、上記蓋体１３を開成した状態で、電子機器筐体１０を作業台１００に載置する。
【００３６】
このとき、図４(ｂ)に示す如く、機器筐体１２は背面(図中の底面)の取付用ボス１２ｈを作業台１００に当接させ、開口１２ｏ(図３参照)を上方に向けた姿勢で載置され、また蓋体１３は一対の取手１４，１４を作業台１００に当接させ、開口１３ｏ(図３参照)を上方に向けた姿勢で作業台１００に載置する。
【００３７】
この状態においては、蓋体１３の左右に設けられた一対の取手１４，１４が、ともに蓋体１３の正面１３ａよりも下方へ突出しているため、これら一対の取手１４，１４が作業台１００の載置面１００ａに当接することにより、蓋体１３は載置面１００ａから離隔した状態で作業台１００に支持されることとなる。
【００３８】
このように、蓋体１３が作業台１００から離隔した状態で支持されることにより、蓋体１３に収容されている小型基地局用増幅装置(図示せず)の組立や調整を行なう際に、蓋体１３の表面が不用意に損傷することがなく、もって製造メーカーにおいては製品品質の低下を未然に防止でき、また使用ユーザーにおいては腐食の発生等を防止することが可能となる。
【００３９】
また、電子機器筐体１０を作業台１００に載置した際、一対の取手１４，１４が作業台１００に当接することにより、蓋体１３は開口１３ｏを上方に向けて水平に占位する所定の姿勢で作業台１００上に支持されることとなる。
【００４０】
このように、蓋体１３における形状の如何んに関わらず、作業台１００上に蓋体１３が所定の姿勢で支持されることにより、蓋体１３に収容されている小型基地局用増幅装置(図示せず)の組立時や調整時における作業性が大幅に向上することとなる。
【００４１】
また、上述した小型基地局用増幅装置を収容する電子機器筐体１０は、上記装置を電柱に取り付ける場合、筐体本体１２を電柱に向けるとともに蓋体１３を外方に向けた姿勢で取り付けられる。
【００４２】
このため、電子機器筐体１０を電柱に取付けた状態では、一対の取手１４，１４が蓋体１３の正面１３ａよりも前方に突出し、これら一対の取手１４，１４がガードとして作用することとなり、もって電子機器筐体１０における表面の損傷を可及的に防止することができる。
【００４３】
なお、図１に示した電子機器筐体１において、蓋体３にも小型基地局用増幅装置が収容されている場合には、図３、図４に示した電子機器筐体１０と同じく、蓋体３に図１、図２に示したと同様の取手を設けることによって、蓋体３に収容された小型基地局用増幅装置の組立時や調整時において、表面の損傷防止と作業性の向上とを達成することが可能となる。
【００４４】
また、上述した各実施例においては、小型基地局用増幅装置を収容する電子機器筐体を例示したが、様々な電子機器を収容する電子機器筐体においても、本発明を有効に適用し得ることは言うまでもない。
【００４５】
【発明の効果】
以上、詳述した如く、請求項１の発明に関わる電子機器筐体は、筐体本体に該筐体本体を作業台から離隔させるとともに前記作業台上に所定の姿勢で支持する取手を設けている。
【００４６】
上記構成によれば、筐体本体が取手によって作業台から離隔した状態で支持されるため、筐体本体が作業台と接触することに起因する表面の損傷が未然に防止され、また筐体本体が取手によって所定の姿勢で支持されるため、組立時や調整時における作業性が向上することとなる。
【００４７】
また、請求項２の発明に関わる電子機器筐体は、蓋体に該蓋体を作業台から離隔させるとともに前記作業台上に所定の姿勢で支持する取手を設けている。
【００４８】
上記構成によれば、蓋体が取手によって作業台から離隔した状態で支持されるため、蓋体が作業台と接触することに起因する表面の損傷が未然に防止され、また蓋体が取手によって所定の姿勢で支持されるため、組立時や調整時における作業性が向上することとなる。
【図面の簡単な説明】
【図１】本発明の実施例に関わる電子機器筐体を示す外観斜視図。
【図２】    (ａ)および(ｂ)は、図１の電子機器筐体における筐体本体を作業台に載置した状態を示す外観端面図。
【図３】本発明の実施例に関わる電子機器筐体を示す外観斜視図。
【図４】    (ａ)および(ｂ)は、図３の電子機器筐体を作業台に載置した状態を示す外観端面図。
【符号の説明】
１…電子機器筐体、
２…筐体本体、
３…蓋体、
４…取手、
１０…電子機器筐体、
１２…筐体本体、
１３…蓋体、
１４…取手、
１００…作業台。
【図１】
0003862910.tif 000002
【図２】
0003862910.tif 000003
【図３】
0003862910.tif 000004
【図４】
0003862910.tif 000005